(57)【要約】【課題】  帯状や紐状の物品（以下、「帯体」と言う。）を結合させることは、帯体の長さ調整にとって非常に大切なことであり、帯体を応用する事項では不可欠の事項である。帯体の結合に関する着脱は、臨時、任意、簡単、確実等を要求される行為であり、此れ等を満足する遣り方は、生活を豊かにすることになる。【解決手段】  本発明の帯状類締結用弾力材線は、２個のばね弾性を有する松葉状の弾力材線を互に反対向きに、２枚の帯体に差し込むことによって、帯体と帯体を結合させるものである。帯体の締結は、２個の弾力材線を同時に圧縮する作業であり、帯体の分離は、２個の弾力材線を同時に引張する作業である。１個の弾力材線のみへの作用力は、殆ど加えられることがない。【選択図】図１
2014226541.tif 000002
【特許請求の範囲】
【請求項１】
松葉状の弾力材線の中間屈曲部に凹み部を設け、該弾力材線の両端部を掛留球とし、２個の弾力材線を互に反対向きに組み合わせて２枚の帯体を挟んで締結し、一方の凹み部に他方の掛留球を停止させることを特徴とする帯状類締結用弾力材線。
【請求項２】
松葉状の弾力材線の中間屈曲部に凹み部を設け、該弾力材線の両端部に掛留部と案内部を設け、２個の弾力材線を互に反対向きに組み合わせて２枚の帯体を挟んで締結し、一方の凹み部に他方の掛留部を停止させることを特徴とする帯状類締結用弾力材線。
【請求項３】
松葉状の弾力材線の中間屈曲部に凹み部を設け、該弾力材線の両端部に案内部を設けないで掛留部のみを設け、２個の弾力材線を互に反対向きに組み合わせて２枚の帯体を挟んで締結し、一方の凹み部に他方の掛留部を停止させることを特徴とする帯状類締結用弾力材線。
【発明の詳細な説明】
【技術分野】
【０００１】  本発明は、帯状や紐状の物品を２個の弾性締結によって臨時に結合させるものであって、帯状類締結用弾力材線に関する。
【背景技術】
【０００２】  従来の帯状や紐状の物品（以下、「帯体」と言う。）は、帯体の端部に設置した線状の部材によって、帯体の任意個所を屈曲させることにより、臨時に帯体間の結合や帯体の長さ調整を行われて来た。【０００３】  前記の帯状の部材は、帯体の長手方向に滑動させることによって、帯体の任意個所での結合が可能であり、帯体の長さが決定される。【０００４】  線状の部材の滑動は、帯体の損耗を引き起こすことになり、線状の部材の使用は、帯体の寿命を決定する要因であった。【０００５】  帯体の寿命は、殆ど線状の部材の使用方法で決まることであり、線状の部材を帯体の長手方向に滑動させない遣り方の出現が望まれる。
【発明の概要】
【発明が解決しようとする課題】
【０００６】  帯体に用いる線状の部材に要望される事項は、線状の部材を帯体の長手方向に滑動させないこと、帯体と帯体を結合出来ること、帯体の長さ調整を行えること等である。作業は、臨時、任意、簡単、確実等を要求される。【０００７】  線状の部材を帯体の長手方向に滑動させないことは、帯体の磨滅を少なくし、帯体の寿命を長くすることになる。【０００８】  帯体と帯体の結合は、帯体の使用を決定するものであり、不可欠の事項である。【０００９】  帯体の長さ調整は、帯体に取り付けられた物品の扱い方を大きく左右する要因であり、帯体の使用の良否を決定する事項である。
【課題を解決するための手段】
【００１０】  本発明の帯状類締結用弾力材線は、帯体と帯体を２個の弾力材線を組み合わせ使用するものであり、帯体の任意の個所で実施可能である。【００１１】  使用する弾力材線は、同一の形状や寸法のものを組み合わせて使用出来、帯体への弾力材線の着脱は、帯体の長手方向に垂直の方向で帯体を板として挟む様な方向への直進のみによって行う。【００１２】  言い替えると、弾力材線の差し込み方向は、帯体の板面に平行で、帯体の長手方向に垂直の方向である。【００１３】  弾力材線は、松葉状の二股であり、弾力材線の組み合わせ方法は、２個の弾力材線を互に反対向きにして差し込む。【００１４】  弾力材線は、各種のばね鋼製の線材、ピアノ線、硬鋼線等のばね用の材料の様なばね弾性を有するものであり、此れ等線材の曲げに対するばね反力を利用するものである。【００１５】  結合させたい２枚の帯体は、反対向きに差し込まれて結合した弾力材線に挟まれるために、此れ等の帯体と帯体は、２個の弾力材線で結合したことになる。【００１６】  ２個の弾力材線の組み合わせは、１組に限定されるものではなく、複数組の使用も有り得ることである。【００１７】  弾力材線の使用方法は、具体例による必要があり、後述の実施例の図面を用いて詳細に示したい。
【発明の効果】
【００１８】  本発明の帯状類締結用弾力材線は、弾力材線を帯体に結合させていないことによって、帯体に対して長手方向に弾力材線を摺動させることをなくすることが出来、帯体の磨滅を防止して帯体の寿命を長く出来る。【００１９】  ２個で１組となる弾力材線は、反対向きになった２個の弾力材線を両側かから押し込むことで組み合わせられ、２個の弾力材線を両側に引っ張ることで分離される。【００２０】  弾力材線の着脱操作は組み合わさった２個に対して同時に逆方向の作用力を加える必要があるが、しかし、１個のみの弾力材線に作用力を加えることは、殆ど着脱操作にならない。【００２１】  ２個の弾力材線を互いに逆向きとする組み合わせは、弾力材線の締付部によって２枚の帯体を締結出来るので、帯体と帯体の結合を行える。【００２２】  ２個の弾力材線の組み合わせは、帯体と帯体を結合させることによって任意の個所に設置出来ると同時に、弾力材線は帯体に対して長手方向に移動し難いので、帯体の長さ調整を確実に行える。【００２３】  弾力材線の締付力は、２個の弾力材線間の押し込み量及び帯体の厚さによって決定されることであり、締付力の調整は、殆ど任意に行える。【００２４】  ２個の弾力材線を逆向きに組み合わせる遣り方は、帯体の締結に必要な締付力を得ることが出来るので、該遣り方の主要な効果は、帯体と帯体を結合出来ること及び帯体の長さ調整を確実に実施出来ることである。
【図面の簡単な説明】
【００２５】
【図１】弾力材線の使用方法を示す本発明の帯状類締結用弾力材線の平面図。
【図２】図１のＩＩ−ＩＩ断面拡大図。
【図３】１個の弾力材線の詳細図。
【図４】弾力材線の押し込み良好例。
【図５】弾力材線の先端障害防止良好例。
【符号の説明】
【００２６】１…弾力材線
１１…締付部
１２…掛留球
２…弾力材線
２１…締付部
２２…掛留球
２３…凹み部
２４…凹み部
２５…凹み部
３…帯体
４…帯体
５…弾力材線
５１…締付部
５２…掛留部
５３…案内部
６…弾力材線
６１…締付部
６２…掛留部
【発明を実施するための形態】
【００２７】  本発明の帯状類締結用弾力材線は、２個の弾力材線を逆向きに組み合わせる遣り方で構成され、帯体を確実に締結可能である。
【００２８】  ２個の弾力材線を逆向きに組み合わせることは、着脱作業を弾力材線を１個だけで行えない訳であり、不要意な帯体への弾力材線の締結を行うことをなくし、不要意な帯体からの弾力材線の分離もなくしている。
【００２９】  弾力材線の締付力は、２個の弾力材線間の押し込み量によって変更出来るし、帯体の厚さを調整することによっても変更出来るので、必要な締付力の設定は、容易な遣り方で可能となる。
【００３０】  前記の遣り方は、弾力材線の先端部を係留させる個所を反先端部に数個所設けること及び帯体の厚さを変化させる様に別の厚さのものを帯体に重ねて用いることで可能である。
【実施例】
【００３１】  本発明の帯状類締結用弾力材線の使用方法は、図１の如くであり、２本の弾力材線が逆向きに組み込まれており、帯体と帯体の締結状態である。図２は、図１のＩＩ−ＩＩ断面拡大図であり、図２に於いては、締結される２個の帯体も示されている。【００３２】  図３は、１個の弾力材線の詳細を示しており、図４は、弾力材線を押し込み易くした弾力材線の先端部を示しており、図５は、弾力材線を使用中に先端での引っ掛りを無くした弾力材線の先端部を示している。【００３３】  帯状類締結用弾力材線の使用中の状態では、全く同一の弾力材線１と弾力材線２を逆向きに組み合わせている。弾力材線１は、締付部１１と掛留球１２のみ符号を付けており、弾力材線２は、締付部２１と掛留球２２及び複数の凹み部として２３、２４、２５を示されており、此れ等の凹み部２３〜２５は、弾力材線２の中間屈曲部に設けられている。【００３４】  図２は、帯体３と帯体４を弾力材線１と弾力材線２で締結した状態であって、帯体３と帯体４を結合していること示していると同時に、帯体３と帯体４によって弾力材線１と弾力材線２の組み合わせ状態を保持していることにもなる。【００３５】  帯体３と帯体４を締付けている個所は、弾力材線１の締付部１１と弾力材線２の締付部２１であり、該締付は、弾力材線１と弾力材線２の組み合わせによって作成されたものである。【００３６】  弾力材線１と弾力材線２の組み合わせは、図１の様な配置に於いて、弾力材線１を左側から右側へ、弾力材線２を右側から左側へ、該動作を同時に行うことで強固な結合になる。此れ等の動作を全く逆の動作として、弾力材線１を左側へ、弾力材線２を右側へ、該動作を同時に行うことで弾力材線１と弾力材線２は、分離されてしまう。【００３７】  前記の如く弾力材線１と弾力材線２において、両者の結合は、両方向から圧縮することであり、両者の分離は、両方向に引張ることである。弾力材線１又は２のどちらかだけに、圧縮又は引張の力を加えようとしても殆ど不可能なことである。【００３８】  此の点の克服は、弾力材線を２個同時に使用する意義があり、此の遣い方は、不用意な結合又は分離のどちらも許さない訳である。【００３９】  弾力材線１と２を詳述したいが、此所では主に弾力材線２で示したい。締付部１１と締付部２１の４本で帯体３と帯体４を締付けている。弾力材線２に凹み部２３、２４、２５が設けられており、弾力材線１の掛留球１２は、弾力材線２のどれかの凹み部で停止し、弾力材線２の掛留球２２も、弾力材線１のどれかの凹み部で停止することになる。【００４０】  弾力材線２の凹み部は、２３〜２５の如く３個であるが、帯体３と帯体４の締付力に不満が無ければ、凹み部の設置は、１個だけでも可能である。締付力の大きさは、弾力材線２の端部に存する凹み部２５の影響が大である。【００４１】  掛留球１２を凹み部２３、２４、２５のどれに停止させるかは、締付けるものや必要締付力によって決定される。弾力材線１と２の引っ掛りは、球と凹みの関係において成り立っている。【００４２】  押し込み易い弾力材線は、図４に示す様な先端部を有しており、弾力材線５の本体部である締付部５１の先端側に掛留部５２と案内部５３が設けられている。案内部５３は、押し込み方向に対して傾斜を有する線形であり、押し込み時に穏やかに、掛留部５２の部分を開くことになる。【００４３】  使用中に先端部での引っ掛りを防止する弾力材線は、図５に示す様な先端部を有しており、弾力材線６の本体部である締付部６１の先端側に掛留部６２が設けられている。掛留部６２は、線材を内側に曲げることによって外側での引っ掛りを無くするものである。【００４４】  何れの弾力材線と雖も、帯体の長手方向への滑動を行う必要がなく、帯体の磨滅を減少出来る。締付部での帯体の締付は、締付力を調整しながら行うことが出来、確実に帯体と帯体を結合出来る。【００４５】  帯体と帯体の結合は、帯体の長さ調整を任意に行うことが可能であり、其の時点で必要な帯体の長さを自由に無理なくもたらす。【００４６】  帯体への弾力材線の着脱作業は、極端に限定されたものであり、必ず２個の弾力材線によって可能なことであり、２個同時に圧縮や引張を行う必要がある。此れ等のことは、簡単な誤操作を許さない訳であり、安全に留意したものであることを意味している。
【産業上の利用可能性】
【００４７】  本発明の帯状類締結用弾力材線は、個人の家庭生活に於ける利用を目的としており、臨時に帯体を短かくしたい時に簡便であって、有効な遣り方で意図を達成させるものである。
【図１】
2014226541.tif 000003
【図２】
2014226541.tif 000004
【図３】
2014226541.tif 000005
【図４】
2014226541.tif 000006
【図５】
2014226541.tif 000007